(57)【特許請求の範囲】
【請求項１】
圧縮ガスを内蔵した容器の封止端を貫通して圧縮ガスを噴出させ、この圧縮ガスにより浮揚体側を膨張させる膨張装置の撃針であって、
尖端に針部を備えた金属製の撃針本体と、
この撃針本体を一体に結合し端部から前記撃針本体を突出させる樹脂製の撃針ホルダーと、
前記撃針ホルダーの端部に形成された受け面と、
前記撃針本体に形成され前記受け面に係合するストッパ用の凸部と、
を備え、
前記撃針ホルダーは、後端にアクチュエーターの衝突駆動を受ける衝突面を備え、同外周面に周回状の凹部により手動のレバーを係合させる駆動係合部を設けた、  
ことを特徴とする膨張装置の撃針。
【請求項２】
請求項1記載の膨張装置の撃針であって、
前記撃針ホルダーの受け面に配置され前記凸部を当接させる撃針ワッシャーを備えた、
ことを特徴とする膨張装置の撃針。
【請求項３】
請求項１又は２記載の膨張装置の撃針であって、
前記撃針ホルダーは、断面円形に形成されて膨張装置に軸回転可能に支持された、
ことを特徴とする膨張装置の撃針。
【請求項４】
請求項１〜３のいずれか1項記載の膨張装置の撃針であって、
前記撃針ホルダーは、外周面にシール支持部を有し、
このシール支持部に、圧縮ガスの漏れを阻止するシール部材を取り付けた、
ことを特徴とする膨張装置の撃針。
【請求項５】
請求項１〜４のいずれか1項記載の膨張装置の撃針であって、
前記撃針ホルダーは、中空に形成され、
前記撃針本体は、金属板により断面Ｕ字状に形成されて尖端に針部が形成され、同中間部に前記凸部が形成され、同後部側に前記撃針ホルダーに食い込む抜け止め用の爪部が切り起こされ、
前記撃針ホルダーの中空の内部にインジケーター軸を貫通させ前記針部外へ突出可能とし、
前記撃針ホルダーの中空の内部に、インジケーター軸に取り付けたシール部材を密接させるシール孔を設けた、
ことを特徴とする膨張装置の撃針。
【請求項６】
請求項１〜５のいずれか1項記載の膨張装置の撃針であって、
前記針部は、凹状の湾曲部及び中央のカット面により尖端を鋭利に形成した、
ことを特徴とする膨張装置の撃針。
【発明の詳細な説明】
【技術分野】
【０００１】
自動又は手動で動作させることで圧縮ガスによりライフ・ジャケットや救命いかだのような浮揚体を膨らませるための膨張装置に供する撃針に関する。
【背景技術】
【０００２】
従来のこの種の膨張装置の撃針は、圧縮ガスを内蔵したガス・ボンベンの封止端に打ちこみ、貫通させるものであるところから、その全体が金属で形成されていた。
【０００３】
このため、撃針の強度が高く、繰り返しの使用に対しても高い耐久性を持っていた。
【０００４】
しかし、全体が金属であると、高価になり、コストダウンの障害となる。
【０００５】
一方において、撃針の尖端部のみを金属で形成し、基部側を樹脂で形成すると、安価に製造でき、コストダウンに貢献することができる。
【０００６】
しかし、尖端部のみを金属で形成すると、繰り返しの使用により、金属の尖端部が樹脂の基部側へ容易にめり込んでしまい、耐久性が低いという問題を招く恐れがあった。
【先行技術文献】
【特許文献】
【０００７】
【特許文献１】特開２００７−２２３４１公報
【特許文献２】特表平１１−５０００８０公報
【発明の概要】
【発明が解決しようとする課題】
【０００８】
解決しようとする問題点は、安価に製造するために撃針の尖端部のみを金属で形成し、基部側を樹脂で形成すると耐久性が低くなる点である。
【課題を解決するための手段】
【０００９】
本発明は、安価に製造するために撃針の尖端部のみを金属で形成し、基部側を樹脂で形成し、且つ耐久性を向上可能とするため、圧縮ガスを内蔵した容器の封止端を貫通して圧縮ガスを噴出させ、この圧縮ガスにより浮揚体側を膨張させる膨張装置の撃針であって、尖端に針部を備えた金属製の撃針本体と、この撃針本体を一体に結合し端部から前記撃針本体を突出させる樹脂製の撃針ホルダーと、前記撃針ホルダーの端部に形成された受け面と、前記撃針本体に形成され前記受け面に係合するストッパ用の凸部とを備え、前記撃針ホルダーは、後端にアクチュエーターの衝突駆動を受ける衝突面を備え、同外周面に周回状の凹部により手動のレバーを係合させる駆動係合部を設けたことを特徴とする。
【発明の効果】
【００１０】
本発明は、上記構成であるから、撃針の尖端部のみを金属で形成し、基部側の撃針ホルダーを樹脂で形成するから、全体を金属で形成する場合に比較して安価に製造することができる。しかも、撃針ホルダーの受け面に、撃針本体のストッパ用の凸部を係合させるから、繰り返しの使用に際し、撃針本体への入力は、凸部により撃針ホルダーの受け面で受けられるから、撃針本体の軸方向への食い込みが抑制され、耐久性を向上させることができる。
【図面の簡単な説明】
【００１１】
【図１】（Ａ）は、ガス・ボンベを取り付けた膨張装置の全体側面図、（Ｂ）は、シェアピンの側面図である。（実施例１）
【図２】膨張装置の断面図である。（実施例１）
【図３】図２のIII‐III線矢視断面図である。（実施例１）
【図４】インジケーター軸が貫通した撃針の断面図である。（実施例１）
【図５】撃針の断面図である。（実施例１）
【図６】撃針本体の断面図である。（実施例１）
【図７】撃針本体の平面図である。（実施例１）
【図８】撃針本体と撃針ワッシャとの関係を示す端面図である。（実施例１）
【図９】アクチュエーター及び表示部の断面図である。（実施例１）
【図１０】表示部の側面図である。（実施例１）
【図１１】表示視認部を含めたインジケーター軸の断面図である。（実施例１）
【図１２】（Ａ）は、アクチュエーター・ソケットの斜視図、（Ｂ）は、同断面図である。（実施例１）
【図１３】（Ａ）は、アクチュエーター・シャフトの斜視図、（Ｂ）は、同断面図である。（実施例１）
【図１４】マウント・シャフトの側面図である。（実施例１）
【図１５】マウント・シャフトの上面図である。（実施例１）
【図１６】マウント・シャフトの下面図である。（実施例１）
【図１７】図１５のXVII−XVII線矢視断面図である。（実施例１）
【図１８】（Ａ）は、実施例に係るシャーピンの破断トルクと撃針のボンベ貫通トルクとの比較を示すグラフ、（Ｂ）は、比較例に係るシャーピンの破断トルクと撃針のボンベ貫通トルクとの比較を示すグラフである。（実施例１、比較例）
【図１９】（Ａ）は、空ボンベ取り付け時の説明図、（Ｂ）は、ボンベ取り付け時の説明図、（Ｃ）は、自動作動時の説明図である。（実施例１）
【図２０】（Ａ）は、アクチュエーター組立単体の説明図、（Ｂ）は、自動作動後の説明図、（Ｃ）は、脱落防止の説明図である。（実施例１）
【発明を実施するための形態】
【００１２】
圧縮ガスを内蔵した容器の取付状態の成否の確認を容易にすることを可能とするという目的を、撃針を貫通するインジケーター軸及び表示部により実現した。
【実施例１】
【００１３】
図1〜図３は、本発明実施例の膨張装置に係り、図１（Ａ）は、ガス・ボンベを取り付けた膨張装置の全体側面図、（Ｂ）は、シェアピンの側面図、図２は、膨張装置の断面図、図３は、図２のIII‐III線矢視断面図である。
【００１４】
図１〜図３のように、膨張装置１は、自動又は手動で動作させ、ライフ・ジャケット等の浮揚体に圧縮ガスを送り込んで膨らませるためのものであり、撃針体部３とインジケーター部５とアクチュエーター７とから成っている。撃針体部３に、圧縮ガスを内蔵した容器であるガス・ボンベ９が取り付けられている。この膨張装置１は、アクチュエーター７の動作により撃針が自動で駆動される他、レバー１１の操作によっても駆動できるようになっている。レバー１１の取り付け構造は後述するが、レバー１１は、シャーピン１３で固定され、ハンドル１５を設定以上の力で引くとレバー１１に紐１５ａを介して回転力が伝えられ、シャーピン１３が破断してレバー１１が回転する。
［撃針体部］
撃針体部３は、ケース１７、撃針１９を備えている。
【００１５】
（ケース）
ケース１７は、樹脂により中空に形成され、容器取付口２１を備えている。容器取付口２１は、ガス・ボンベ９の封止端を着脱可能に取り付ける部分であり、この容器取付口２１には、ガス・ボンベ９取付用の雌ねじ２３が形成されている。容器取付口２１の奥壁２５には、密閉用のボンベ・オーリング２７が装着され、ガス・ボンベ９の封止端に密接可能となっている。
【００１６】
奥壁１９の中央には、小径の通路待機孔２９が形成され、容器取付口２１に連通している。通路待機孔２９は、撃針１９の尖端を待機させると共に、ガス・ボンベ９から流出する圧縮ガスを流通させるものである。
【００１７】
通路待機孔２９に連通して通路ガイド孔３１が形成されている。通路ガイド孔３１は、断面円形で通路待機孔２９よりも大径で同心に形成されている。通路ガイド孔３１は、通路待機孔２９と協働してガス・ボンベ９から流出する圧縮ガスを流通させると共に、撃針１９の中間部をガイドする。
【００１８】
通路ガイド孔３１に連通してガイド孔３３及びマウント孔３５が形成されている。ガイド孔３３は、断面円形で通路ガイド孔３１よりも大径で同心に形成されている。ガイド孔３３は、撃針１９の後部をガイドする。マウント孔３５は、容器取付口２１に連通して浮揚体側へ連通接続される吐出口を構成する。このマウント孔３５は、通路ガイド孔３１に直交するように形成され、このマウント孔３５に、後述のマウント・シャフトを取り付ける。マウント・シャフトは、ライフ・ジャケット等の浮揚体（図示せず）に取り付けられる。マウント孔３５には、回り止め用の平面部３５ａが設けられ、Ｄ形断面となっている。このマウント孔３５両端の開口周縁には、マウント・シャフト・オーリング３７が備えられ、取り付けられたマウント・シャフト側に密接する。
【００１９】
ケース１７の後端部には、ガイド孔３３を開放する空間部３９が形成されている。空間部３９は、撃針１９の後端部を突出させる部分となっている。この空間部３９の回りに形成され、空間部３９を囲むアクチュエーター取付部４１が形成されている。アクチュエーター取付部４１は、アクチュエーター７を螺合により着脱可能に取り付ける部分であり、雄ねじ４３が形成されている。
【００２０】
ケース１７の中間部には、レバー取付部４５が設けられている。レバー取付部４５は、開口４７を備え、開口４７の両側に軸支部４９が形成されている。開口４７は、ガイド孔３３をケース１７の側面部に開放し、軸支部４９は、樹脂製のレバー１１をピン５１により回転自在に支持している。開口４７の外部近傍に、シャーピン支持部５２が形成されている。シャーピン支持部５２にレバー１１のシャーピン挿通部１１ａをシャーピン１３の挿通で結合し、通常時のレバー１１の回転が固定されている。
【００２１】
レバー１１は、開口４７内でガイド孔３３側へ臨む先端部１１ｂが二股に形成され、先端部が撃針１３の後部側を挟む形態となっており、先端部１１ｂの二股対向面に、撃針１３に係合する段部１１ｃが形成されている。
【００２２】
（撃針）
撃針１９は、通路ガイド孔３１及びガイド孔３３内に装填されている。この撃針１９は、ケース１７に可動支持されて水などの液体に反応するアクチュエーター７の動作により又はレバー１１の操作により尖端部が前記容器取付口２１内へ進出してガス・ボンベ９の封止端を貫通するように駆動される構成となっている。
【００２３】
図４は、インジケーター軸が貫通した撃針の断面図、図５は、撃針の断面図、図６は、撃針本体の断面図、図７は、撃針本体の平面図、図８は、撃針本体と撃針ワッシャとの関係を示す端面図である。
【００２４】
図２〜図８のように、撃針１９は、撃針ホルダー５３に撃針本体５５を一体に形成したものである。
【００２５】
図４、図５のように、撃針ホルダー５３は、樹脂製であり、全体的に円形断面に形成され、先端側に撃針本体５５を一体成型により固定している。撃針ホルダー５３には、撃針本体５５に連続する連通孔５７及びシール孔５９が段付状に形成されている。
【００２６】
撃針ホルダー５３の端部には、受け面６２が形成されている。この９撃針ホルダー５３の外周先端側部６０は、断面円形に形成され、この外周先端側部６０には、シール支持部６１が形成され、撃針オーリング６３が支持されている。撃針ホルダー５３の外周部後端側には、断面円形のガイド面６５が形成されている。ガイド面６５には、周回状の凹部により嵌合部６７及び駆動係合部６９が形成されている。
【００２７】
嵌合部６７を、レバー１１の二股の先端部１１ｂが挟み、二股対向面の段部１１ｃが駆動係合部６９に係合する。
【００２８】
撃針ホルダー５３の後端には、衝突面７０が形成され、アクチュエーター７の衝突駆動を受けることができるようになっている。
【００２９】
図６〜図８のように、撃針本体５５は、ステンレスなどの金属板により断面Ｕ字状に形成され、先端に針部７１が形成され、中間部にストッパ用の凸部７３が形成され、後部側に抜け止め用の爪部７５が切り起こされている。
【００３０】
針部７１は、凹状の湾曲部７１ａ及びカット面７１ｂにより尖端が鋭利に形成されている。
【００３１】
この撃針本体５５が撃針ホルダー５３に一体形成され、凸部７３が金属製の撃針ワッシャ７７を介して撃針ホルダー５３の端面に当接し、爪部７５が撃針ホルダー５３に食い込むように形成されている。
【００３２】
撃針ホルダー５３と一体の撃針本体５５は、その断面Ｕ字の内部が、連通孔５７に連通し、連通孔５７を撃針ホルダー５３外の撃針本体５５先端側へ解放している。したがって、撃針本体５５から連通孔５７及びシール孔５９に掛けて撃針１９の中空部１９ａが構成されている。
【００３３】
かかる撃針１９は、ケース１７内に収容され、撃針ホルダー５３の先端側がケース１７の通路ガイド孔３１に挿入され、シール支持部６１の撃針オーリング６３が通路ガイド孔３１内面に密接し、撃針ホルダー５３の後端側がガイド孔３３内に収容され、ガイド可能となっている。
【００３４】
撃針ホルダー５３と通路ガイド孔３１端面との間には、コイル・スプリング７８が介設され、撃針ホルダー５３の後端は、ケース１７の空間部３９内に臨み、撃針本体５５の尖端は、通路待機孔２９内に待機配置されている。
【００３５】
図９は、アクチュエーター及び表示部の断面図、図１０は、表示部の側面図、図１１は、表示視認部を含めたインジケーター軸の断面図である。
【００３６】
図２、図４、図9〜図１１のように、インジケーター部５は、インジケーター軸７９と表示部８１とを備えている。
【００３７】
インジケーター軸７９は、ステンレスなどの金属で形成され、撃針１９の中空部１９ａを貫通して配置され、先端が撃針本体５５の針部７１から突出して容器取付口２１内へ臨み、後端側がアクチュエーター７を貫通してインジケーター部５に至っている。
【００３８】
インジケーター軸７９の中間部には、樹脂の一体成形等によりシール支持部８３が形成され、このシール支持部８３にシール部材としてインジケーター・オーリング８５が取り付けられている。このインジケーター・オーリング８５は、シール孔５９内に配置され、シール孔５９内面に密接している。
【００３９】
インジケーター軸７９の後端部には、表示部８１のインジケーター・リング８７及びインジケーター・キャップ８９が樹脂等により一体的に設けられている。インジケーター・リング８７は、ガス・ボンベ９の正しい装着を示すために、例えば緑色に着色され、インジケーター・キャップ８９は、ガス・ボンベ９の非装着を示すために、例えば赤色に着色されている。なお、この着色は、他の色にすることも可能である。
【００４０】
表示部８１は、インジケーター軸７９が容器取付口２１に取り付けられたガス・ボンベ９の封止端により押圧されて移動すると外観上の表示を変化させるものであり、インジケーター・ハウジング９１と表示視認部９３とを備えている。
【００４１】
インジケーター・ハウジング９１は、周回形状の基部９５及び中空頭部９７と径方向のブリッジ９９及び係合爪１０１で全体形状が形成され、基部９５の内部にインジケーター・リング孔１０３ａが形成され、中空頭部９７の内部にインジケーター・キャップ孔１０３ｂが形成されている。
【００４２】
基部９５及び中空頭部９７間は、空間として形成された表示窓１０５となっている。
【００４３】
インジケーター・リング８７がインジケーター・リング孔１０３ａに、インジケーター・キャップ８９がインジケーター・キャップ孔１０３ｂにそれぞれ軸方向移動可能に収容支持されている。
【００４４】
インジケーター・キャップ８９とインジケーター・キャップ孔１０３ｂの端部との間には、インジケーター・スプリング１０７が介設され、基部９５を貫通して配置されたインジケーター軸７９を容器取付口２１側へ軸方向に付勢している。
【００４５】
インジケーター軸７９の移動により表示窓１０５に対して着色の異なるインジケーター・リング８７及びインジケーター・キャップ８９のいずれかが露出することで、表示窓１０５が異なる表示態様となる。
【００４６】
したがって、インジケーター・リング８７及びインジケーター・キャップ８９、表示窓１０５は、インジケーター軸７９に設けられ、このインジケーター軸７９が前記ガス・ボンベ９の封止端により押圧されて移動する前後で表示窓１０５が異なる表示態様となり、表示視認部９３を構成する。
【００４７】
インジケーター・ハウジング９１は、アクチュエーター７のアクチュエーター・ハウジング１１１に固定され、アクチュエーター・ハウジング１１１を介してケース１７側に固定支持された構成となっている。
【００４８】
アクチュエーター・ハウジング１１１は、透明の樹脂で形成され、内部が視認可能となっている。アクチュエーター・ハウジング１１１の内部には、アクチュエーター孔１１３とインジケーター孔１１５とが同芯に形成され、インジケーター孔１１５は、アクチュエーター孔１１３よりも僅かに大径に形成されている。
【００４９】
アクチュエーター孔１１３の一端部には、雌ねじ１１７が形成され、同中間部には、係止突部１１９が形成されている。インジケーター孔１１５の端部には、係止孔１２０が形成されている。
【００５０】
インジケーター部５は、インジケーター・ハウジング９１がインジケーター孔１１５に嵌合し、係合爪１０１が係止孔１２０に着脱可能に係止されることで固定支持されている。
［アクチュエーター］
アクチュエーター７は、アクチュエーター・ハウジング１１１の他、アクチュエーター・ソケット１２１とアクチュエーター・シャフト１２３とアクチュエーター・ロール１２５とを備えている。
【００５１】
図１２は、（Ａ）は、アクチュエーター・ソケットの斜視図、（Ｂ）は、同断面図である。
【００５２】
図１２のように、アクチュエーター・ソケット１２１は、中空円筒状に形成され、外周面に固定用フランジ１２７が設けられている。アクチュエーター・ソケット１２１の一端は、スリット１２９が複数一定間隔で形成され、可撓片部１３１が周回状に連設されている。可撓片部１３１の内面には、断面山形の突起１３３が形成されている。このアクチュエーター・ソケット１２１は、固定用フランジ１２７の部分でアクチュエーター・ハウジング１１１のアクチュエーター孔１１３内に圧入され、係止突部１１９に係止されて位置決められている。
【００５３】
図１３（Ａ）は、アクチュエーター・シャフトの斜視図、（Ｂ）は、同断面図である。
【００５４】
図１３のように、アクチュエーター７の動作体を構成するアクチュエーター・シャフト１２３には、中空部として、第１シャフト連通口１３５及び第２シャフト連通口１３７が形成されている。第２シャフト連通口１３７は、第１シャフト連通口１３５よりも細く形成されている。
【００５５】
アクチュエーター・シャフト１２３の外周部には、軸方向中間部に段部１３９が形成され、段部１３９に隣接して作動表示部１４１が形成されている。作動表示部１４１は、例えば赤色に着色され、クチュエーター・シャフト１２３の動作を示すことができる。なお、着色はその他の色を選択することもできる。
【００５６】
アクチュエーター・シャフト１２３の一端には、スプリング座フランジ１４３が形成され、他端側に断面谷形の凹部１４５が周回状に形成されている。
【００５７】
このアクチュエーター・シャフト１２３は、図２、図９のように、他端側がアクチュエーター・ソケット１２１に嵌合し、凹部１４５が突起１３３に嵌合して位置決められる。この位置決め状態で可撓片部１３１の回りには、紙製のアクチュエーター・ロール１２５が巻きつけられ、可撓片部１３１の径方向外側への撓みを規制する。
【００５８】
スプリング座フランジ１４３と固定用フランジ１２７との間には、圧縮コイル・スプリング１４７が介設され、アクチュエーター・シャフト１２３を付勢待機している。
【００５９】
インジケーター軸７９は、第１シャフト連通口１３５及び第２シャフト連通口１３７によりアクチュエーター７を貫通し、表示部８１がアクチュエーター７の後端部に支持された構成となっている。
【００６０】
図９のアクチュエーター７単独時に第２シャフト連通口１３７は、インジケーター軸７９のシール支持部８３は通すが、インジケーター・オーリング８５は端部開口縁１３７ａに係合する。端部開口縁１３７ａは、シール部材であるインジケーター・オーリング８５に係合可能な係合部を構成する。
【００６１】
アクチュエーター７は、ケース１７のアクチュエーター取付部４１に、螺合により着脱可能に取り付けられ、螺合は、雄ねじ４３と雌ねじ１１７とにより行われる。
【００６２】
この取付状態でアクチュエーター・シャフト１２３が撃針１９の後端部に打撃駆動可能に対向配置される。
［マウント・シャフト］
図１４〜図１７は、マウント・シャフトに係り、図１４は、マウント・シャフトの側面図、図１５は、同上面図、図１６は、同下面図、図１７は、図１５のXVII−XVII線矢視断面図である。
【００６３】
図１４〜図１７のように、マウント・シャフト１４９は、マウント嵌合部１５１と浮揚体結合部１５３とからなっている。
【００６４】
マウント嵌合部１５１は、ナイロンなどの樹脂又は金属で中空の軸形状に形成され、内部に、貫通孔１５４を備えている。マウント嵌合部１５１の外周部は、マウント孔３５のＤ形断面に対応したＤ形断面に形成され、中間に小径部１５５が形成され、この小径部１５５に通気穴１５７が形成されている。マウント嵌合部１５１の先端には、雄ねじ１５９が形成され、袋ナットを締結できるようになっている。
【００６５】
マウント嵌合部１５１には、くびれ部１６１を介してシール面フランジ１６３が形成され、このシール面フランジ１６３に結合フランジ１６５、１６７が併設されている。
【００６６】
浮揚体結合部１５３はライフ・ジャケットの気室１６９に結合されるものであり、気室１６９のウレタン引布に合わせてウレタンで形成され、シール面フランジ１６３から結合フランジ１６５、１６７にかけて一体に形成されている。
【００６７】
浮揚体結合部１５３は、貫通孔１５４に連通する吐出開口１７１を備え、吐出開口１７１の外部周囲は、平面部１７３として形成され、この平面部１７３に、密着防止部として十字の溝１７５が形成されている。溝１７５は、吐出開口１７１を平面部１７３の外縁外へ開放している。
【００６８】
平面部１７３の外縁は、テーパー面１７７を介して取付フランジ１７９に至っている。取付フランジ１７９が気室１６９の図示しない結合部に結合され、吐出開口１７１側が気室１６９内に臨まされている。
【００６９】
なお、マウント嵌合部１５１及び浮揚体結合部１５３の材質は、種々変更することができる。
【００７０】
マウント・シャフト１４９は、マウント嵌合部１５１が膨張装置１のマウント孔３５にマウントされ、浮揚体結合部１５３にライフ・ジャケット等の気室１６９が結合されるものである。
【００７１】
マウント・シャフト１４９のマウントは、マウント嵌合部１５１を、そのＤ形をマウント孔３５のＤ形に合わせて一方側から挿入し、マウント孔３５の他方側から突出した雄ねじ１５９に袋ナットを締結して固定する。
【００７２】
この締結固定で、袋ナットとシール面フランジ１６３とがマウント孔３５のマウント・シャフト・オーリング３７に密着し、マウント・シャフト１４９及びマウント孔３５間の密閉が行われる。
【００７３】
このマウント・シャフト１４９は、密着防止部として、テーパー面１７７を介して取付フランジ１７９より突出した平面部１７３に十字の溝１７５を備えているので、気室内への圧縮ガス（ガス）の噴出を、負圧に妨げられることなく、円滑に行わせることができる。
【００７４】
すなわち、十字の溝１７５がないときは、貫通孔１５４から吐出開口１７１を経て平面部１７３及び気室１６９間に高速で噴き出され、平面部１７３及び気室１６９間に負圧が発生することで気室１６９が平面部１７３に密着し、ガスの噴出が円滑に行われない場合がある。これに対し、十字の溝１７５が存在することで気室１６９が平面部１７３に密着しても圧縮ガスが十字の溝１７５を通り、気室１６９内へ円滑に到達する。
【００７５】
気室１６９内へ圧縮ガスが入り始めると、気室１６９が膨張するので気室１６９と平面部１７３との密着は起こらず、以後気室１６９が膨張を完了するまでガ圧縮ガスの通過が円滑に行われる。
【００７６】
なお、密着防止部としては、十字の溝１７５に限らず、一文字、三又等、種々の形態をとることができる。また、密着防止部は、溝に限らず平面部１７３に形成する規則的に並んだ或いは不規則に配置された凸部などで形成することもできる。
【００７７】
気室１６９には、人の口から呼気としての圧縮ガスを給気可能とする給気用のパイプも接続されるが、このパイプにも同様の密着防止部を形成することができる。
【００７８】
さらに、密着防止部は、浮揚体に限らず、可撓性の袋状体で形成された気室にガスを供給する部分に広く適用することができる。
［膨張装置の作動］
（自動作動）
ガス・ボンベ9を取り付けた膨張装置１は、マウント孔３５に密に取り付けられたマウント・シャフト１４９がライフ・ジャケット等の浮揚体に結合され、ガス・ボンベ９からの圧縮ガスにより浮揚体が膨張する。
【００７９】
例えば、ライフ・ジャケットを身に付けた人が、水中に入り、膨張装置１が水に浸かると、アクチュエーター・ハウジング１１１内に水が浸入し、紙製のアクチュエーター・ロール１２５が、水を含んで溶け又は強度が低下する。この溶け又は強度が低下することによりアクチュエーター・ソケット１２１の可撓片部１３１の拘束力が開放され、圧縮コイル・スプリング１４７の付勢力でアクチュエーター・シャフト１２３の凹部１４５がアクチュエーター・ソケット１２１の突起１３３から外れ、アクチュエーター・シャフト１２３が撃針１９側へ瞬時に移動する。
【００８０】
この瞬時の移動によりアクチュエーター・シャフト１２３が撃針１９の撃針ホルダー５３端面に衝突し、撃針１９がコイル・スプリング７８の付勢力に抗して瞬時に移動する。
【００８１】
この瞬時の移動により撃針１９の撃針本体５５がその針部７１からガス・ボンベ９の閉止端に突入し、貫通する。
【００８２】
この撃針１９の貫通でガス・ボンベ１９から圧縮ガスが噴出し、通路待機孔２９、通路ガイド孔３１、マウント孔３５へと順次移動する。
【００８３】
マウント孔３５へ移動した圧縮ガスは、マウント・シャフト１４９の通気孔１５７から貫通孔１５４を通り吐出開口１７１からライフ・ジャケットの気室１６９に至り、ライフ・ジャケットが瞬時に膨張する。
【００８４】
撃針１９がガス・ボンベ９の閉止端を打ち抜くとき、撃針本体５５に撃針ホルダー５３側への衝撃力が反力として作用する。このとき、撃針本体５５の凸部７３が金属製の撃針ワッシャ７７を介して撃針ホルダー５３の端面に当接するから、撃針本体５５が金属製で撃針ホルダー５３が樹脂製の一体成形であっても、凸部７３の存在で撃針本体５５が撃針ホルダー５３へ食い込むことを抑制できる。
【００８５】
特に、凸部７３が金属製の撃針ワッシャ７７に当接するから、撃針本体５５が撃針ホルダー５３へ食い込むことを、より確実に防止できる。このため、撃針体部３の繰り返しの使用にも高い耐久性を維持することができる。
【００８６】
（手動作動）
膨張装置１は、レバー１１によっても動作させることができる。
【００８７】
ハンドル１５を強く引くとレバー１１に紐１５ａを介して回転力が伝えられ、シャーピン１３が破断してレバー１１がピン５１を中心に回転する。
【００８８】
レバー１１の回転によりレバー１１の先端部１１ｂの段部１１ｃが撃針ホルダー５３の駆動係合部６９を軸方向に押圧し、撃針ホルダー５３をガス・ボンベ９方向へ付勢する。
【００８９】
この付勢により撃針１９が上記同様に動作し、同様にガス・ボンベ９の閉止端が打ち抜かれ、ライフ・ジャケットが瞬時に膨張する。
【００９０】
（手動誤作動看過防止）
図１８（Ａ）は、実施例に係るシャーピンの破断トルクと撃針のボンベ貫通トルクとの比較を示すグラフ、（Ｂ）は、比較例に係るシャーピンの破断トルクと撃針のボンベ貫通トルクとの比較を示すグラフである。横軸は時間を示し、縦軸は破断トルクを示す。この場合のトルクは、レバー１１を回転させるトルクとしている。
【００９１】
図１８（Ｂ）のように、比較例では、シャーピン１３の破断トルクＴ３よりも撃針１９のボンベ貫通トルクＴ４の方が大きくなっている。撃針１９のボンベ貫通は、シャーピン１３の破断トルク後となる。
【００９２】
このようなトルク関係では、シャーピン１３が設定トルクで適切に破断した後でも、撃針１９がガス・ボンベ９の閉止端を容易には貫通しない恐れがある。このため、誤ってレバー１１が手動操作され、シャーピン１３が破断して撃針１９の尖端がガス・ボンベ９の閉止端に衝突しても、閉止端に僅かな傷ができるだけで、貫通はしない状況を招き得る。
【００９３】
この状況では、ガス・ボンベ９からの圧縮ガスの噴出はなく、閉止端の傷から微小なガス漏れが発生することがある。このガス漏れは、比較的長い時間をかけて行われ、ライフ・ジャケットの膨張はないがガス・ボンベ９からガスが抜けているという状況を招く恐れがある。
【００９４】
これに対し、図１８（Ａ）のように、実施例では、シャーピン１３の破断トルクＴ１が撃針１９のボンベ貫通トルクＴ２よりも大きくなるように設定されている。撃針１９のボンベ貫通は、シャーピン１３の破断トルク後となる。
【００９５】
このようなトルク関係では、シャーピン１３が設定トルクで適切に破断した後、撃針１９がガス・ボンベ９の閉止端を容易に貫通する。このため、誤ってレバー１１が手動操作されても、撃針１９の尖端がガス・ボンベ９の閉止端に衝突すると、閉止端が容易に打ち抜かれて撃針１９の針部７１が閉止端を貫通する。
【００９６】
このため、ガス・ボンベ９から圧縮ガスが噴出して、ライフ・ジャケットが膨張し、誤作動を容易に認識し、ガス・ボンベ９の交換を促すことができる。
【００９７】
図１８（Ａ）のようなトルク関係は、針部７１の工夫により容易に得ることができる。実施例の針部７１は、図６、図７のように、凹状の湾曲部７１ａ及びカット面７１ｂにより尖端が鋭利に形成され、比較例の針部７１は、かかる鋭利な針部とはなっていない。
［ボンベ取付等］
図１９（Ａ）は、空ボンベ取り付け時の説明図、（Ｂ）は、ボンベ取り付け時の説明図、（Ｃ）は、自動作動時の説明図である。
【００９８】
（空ボンベ取付時）
図１９のように、膨張装置１には、容器取付口２１にガス・ボンベ９を取り付けて使用される。
【００９９】
ガス・ボンベ９の取付は、端部の封止端を備えた口部を容器取付口２１の雌ねじ２３にねじ込むことで行われる。
【０１００】
このガス・ボンベ９の取り付けにおいて、使用済みの空ボンベを取り付けてしまうことがある。空ボンベは、封止端が撃針１９で既に穴を開けられており、図１９（Ａ）のようにインジケーター軸７９の先端は、ガス・ボンベ９側から当接力を受けないから、インジケーター・スプリング１０７の付勢力でインジケーター軸７９の先端が容器取付口２１内側へ突出したままの状態となる。
【０１０１】
この状態では、表示窓１０５にインジケーター・キャップ８９が位置し、赤色の表示態様となる。
【０１０２】
したがって、ガス・ボンベ９の装着時に透明なアクチュエーター・ハウジング１１１越しに表示窓１０５の赤色の表示態様を視認することで、使用済みの空のガス・ボンベ９の装着を容易に知ることができる。
【０１０３】
（ボンベ取付時）
図１９（Ｂ）のように、新しいガス・ボンベ９を正規位置に取り付けると、封止端がインジケーター軸７９に当接して押圧する。
【０１０４】
この押圧力でインジケーター・スプリング１０７を撓めながらインジケーター軸７９が軸方向移動し、インジケーター・リング８７が表示窓１０５へ移動し、表示窓１０５が緑色の表示対様となる。
【０１０５】
したがって、ガス・ボンベ９の装着時に透明なアクチュエーター・ハウジング１１１越しに表示窓１０５の緑色の表示態様を視認することで、新しい未使用のガス・ボンベ９の装着を容易に知ることができる。
【０１０６】
このとき、ガス・ボンベ９の取り付けが甘いと表示が完全に切り替わらず、インジケーター・キャップ８９及びインジケーター・リング８７の境目が表示窓１０５に位置することになり、赤と緑の両方が表示される。
【０１０７】
このため、ガス・ボンベ９の取り付けが甘さを、容易に確認することができる。
【０１０８】
（自動作動時）
撃針１９がアクチュエーター７により自動で作動すると、図１９（Ｃ）のように、圧縮コイル・スプリング１４７の巻き線間の間隔が広がり、動作したアクチュエーター・シャフト１２３の作動表示部１４１がアクチュエーター・ソケット１２１外へ移動してその赤色が巻き線間に視認できる。
【０１０９】
同時にインジケーター軸７９の先端がインジケーター・スプリング１０７の付勢力でガス・ボンベ９の閉止端内へ移動し、図１９（Ａ）同様に表示窓１０５にインジケーター・キャップ８９が位置し、赤色の表示態様となる。
【０１１０】
なお、手動作動時は、アクチュエーター７のアクチュエーター・シャフト１２３の動作がないから、作動表示部１４１はアクチュエーター・ソケット１２１内の位置を維持し、赤色は視認できない。
［ボンベの交換］
ボンベの交換は、ガス・ボンベ９を軸周りに回転させて容器取付口２１の雌ねじ２３から離脱させ、同時に閉止端部に貫通している撃針１９が抜かれる。
【０１１１】
ガス・ボンベ９の軸周りの回転時に撃針１９には軸回転周りの力が働く。
【０１１２】
このとき、撃針１９は撃針ホルダー５３の断面円形の外周先端側部６０及びガイド面６５が、ケース１７の断面円形の通路ガイド孔３１及びガイド孔３３に対して軸周りに回転し、ガス・ボンベ９と共回りする。
【０１１３】
このため使用済みの、ガス・ボンベ９を取り外す時に撃針１９に回転方向の無理な力が働かず、撃針１９の破損を抑制することができる。
［アクチュエーターの交換］
図２０（Ａ）は、アクチュエーター組立単体の説明図、（Ｂ）は、自動作動後の説明図、（Ｃ）は、脱落防止の説明図である。
【０１１４】
膨張装置１の自動作動後は、アクチュエーター７を交換し、撃針体部３を再利用する。
【０１１５】
アクチュエーター７の取り外しは、アクチュエーター取付部４１の雄ねじ４３からアクチュエーター・ハウジング１１１の雌ねじ１１７をアクチュエーター７の撃針体部３に対する軸回りの回転で離脱させて行う。
【０１１６】
アクチュエーター７が撃針体部３から離脱すると、図２０（Ａ）の単体となる。
【０１１７】
自動作動後は、図２０（Ｂ）のように、アクチュエーター７単体でも、圧縮コイル・スプリング１４７の巻き線間の間隔が広がっており、動作したアクチュエーター・シャフト１２３の作動表示部１４１がアクチュエーター・ソケット１２１外へ移動してその赤色が巻き線間に視認できる。
【０１１８】
このため、アクチュエーター７単体で自動作動を容易に確認することができる。
【０１１９】
撃針体部３に新ボンベを取り付けたまま、自動作動後のアクチュエーター７を誤って再度取り付けると、撃針１９の撃針本体５５が新ガス・ボンベ９の閉止端に穴を開けてしまうことがある。
【０１２０】
このため、アクチュエーター７の自動作動を容易に確認することで、自動作動後のアクチュエーター７の誤組み付けを防止できる。
【０１２１】
自動作動後のアクチュエーター７が単体で取り出されると、アクチュエーター・ソケット１２１から離脱しているアクチュエーター・シャフト１２３がインジケーター軸７９の先端側へ移動可能となる。
【０１２２】
アクチュエーター・シャフト１２３がインジケーター軸７９の先端側へ移動したときは、インジケーター軸７９のシール支持部８３が第１シャフト連通口１３５から第２シャフト連通口１３７へ相対的に入り込むものの、インジケーター・オーリング８５が第２シャフト連通口１３７の端部開口縁１３７ａに係合するから、アクチュエーター・シャフト１２３の離脱を防止できる。
【０１２３】
このため、自動作動後のアクチュエーター７単体の取り扱いを容易に行わせることができる。
［実施例の効果］
本発明実施例１は、ガス・ボンベ９の封止端を貫通して圧縮ガスを噴出させ、この圧縮ガスにより浮揚体側を膨張させる膨張装置１の撃針１９であって、尖端に針部７１を備えた金属製の撃針本体５５と、撃針本体５５を一体に結合し端部から撃針本体５５を突出させる樹脂製の撃針ホルダー５３と、記撃針ホルダー５３の端部に形成された受け面と、撃針本体５５に形成され受け面に係合するストッパ用の凸部７３とを備えた。
【０１２４】
このため、撃針１９の尖端部のみを金属で形成し、基部側の撃針ホルダー５３を樹脂で形成するから、全体を金属で形成する場合に比較して安価に製造することができる。しかも、撃針ホルダー５３の受け面６２に、撃針本体５５のストッパ用の凸部７３を係合させるから、繰り返しの使用に際し、撃針本体５５への入力は、凸部７３により撃針ホルダー５３の受け面６２で受けられるから、撃針本体５５の軸方向への食い込みが抑制され、耐久性を向上させることができる。
【０１２５】
撃針ホルダー５３の受け面６２に配置され凸部７３を当接させる撃針ワッシャー７７を備えた。
【０１２６】
したがって、凸部７３が樹脂の受け面６２に直接当らないから、撃針本体５５への入力を受け面６２で確実に受けることができ、耐久性を確実に向上させることができる。
【０１２７】
撃針ホルダー５３は、断面円形に形成されて膨張装置１のケース１７に軸回転可能に支持された。
【０１２８】
撃針１９は撃針ホルダー５３の断面円形の外周先端側部６０及びガイド面６５が、ケース１７の断面円形の通路ガイド孔３１及びガイド孔３３に対して軸周りに回転し、ガス・ボンベ９と共回りする。
【０１２９】
このため使用済みの、ガス・ボンベ９を取り外す時に撃針１９に回転方向の無理な力が働かず、撃針１９の破損を抑制することができる。
【０１３０】
撃針ホルダー５３は、後端にアクチュエーター７の衝突駆動を受ける衝突面７０を備え、同外周面に周回状の凹部により手動のレバー１１を係合させる駆動係合部６９を設けた。
【０１３１】
このため、撃針１９をアクチュエーター７とレバー１１との双方を選択して直接駆動することができ、確実な膨張動作を得ることができる。
【０１３２】
撃針ホルダー５３は、外周面にシール支持部６１を有し、このシール支持部６１に、圧縮ガスの漏れを阻止する撃針オーリング６３を取り付けた。
【０１３３】
このため、撃針１９を利用して圧縮ガスの漏れを確実に阻止することができる。
【０１３４】
撃針ホルダー５３は、中空に形成され、撃針本体５５は、金属板により断面Ｕ字状に形成されて尖端に針部７１が形成され、同中間部に凸部７３が形成され、同後部側に撃針ホルダー５３に食い込む抜け止め用の爪部７５が切り起こされ、撃針ホルダー５３の中空の内部にインジケーター軸７９を貫通させ針部７１外へ突出可能とし、記撃針ホルダー５３の中空の内部に、インジケーター軸７９に取り付けたインジケーター・オーリング８５を密接させるシール孔５９を設けた。
【０１３５】
このため、撃針本体５５の金属板による断面Ｕ字状の形成で軽量化を図ることができる。撃針の中空の内部にインジケーター軸７９を通すことで全体をコンパクトに形成することができる。中空の内部に、インジケーター軸７９に取り付けたインジケーター・オーリング８５を密接させるシール孔５９を設けたことで、インジケーター軸７９を通しながら簡単な構造でガスの漏れを確実に阻止することができる。
【０１３６】
針部７１は、凹状の湾曲部７１ａ及び中央のカット面７１ｂにより尖端を鋭利に形成した。
【０１３７】
このため、誤作動時にもガス・ボンベ９を確実に打ち抜くことができ、誤作動による傷つきで撃針１９の尖端がガス・ボンベ９の閉止端に衝突しても、閉止端に僅かな傷ができるだけで、貫通はしないと言った状況を招き難くなる。
【０１３８】
僅かな傷ができる状況では、ガス・ボンベ９からの圧縮ガスの噴出はなく、閉止端の傷から微小なガス漏れが発生することがある。このガス漏れは、比較的長い時間をかけて行われ、ライフ・ジャケットの膨張はないがガス・ボンベ９からガスが抜けているという状況を招く恐れがある。
【０１３９】
これに対し、図１８（Ａ）のように、実施例では、シャーピン１３の破断トルクＴ３が撃針１９のボンベ貫通トルクＴ４よりも大きくなるように設定されている。撃針１９のボンベ貫通は、シャーピン１３の破断トルク後となる。
【０１４０】
このようなトルク関係を針部７１で作りだし、シャーピン１３が設定トルクで適切に破断した後、撃針１９がガス・ボンベ９の閉止端を容易に貫通することができる。
【０１４１】
このため、誤ってレバー１１が手動操作されても、撃針１９の尖端がガス・ボンベ９の閉止端に衝突すると、閉止端が容易に打ち抜かれて撃針１９の針部７１が閉止端を貫通する。
【０１４２】
このため、ガス・ボンベ９から圧縮ガスが噴出して、ライフ・ジャケットが膨張し、誤作動を容易に認識し、ガス・ボンベ９の交換を促すことができる。
【符号の説明】
【０１４３】
１  膨張装置
３  撃針体部
５  インジケーター部
７  アクチュエーター
９  ガス・ボンベ（圧縮ガスを内蔵した容器）
１１  レバー
１７  ケース
１９  撃針
１９ａ  中空部
５３  撃針ホルダー
５９  シール孔
７１  針部
７１ａ  湾曲部
７１ｂ  カット面
７３  凸部
７７  撃針ワッシャー
７９  インジケーター軸
８５  インジケーター・オーリング（シール部材）
【図１】
0005833875.tif 000002
【図２】
0005833875.tif 000003
【図３】
0005833875.tif 000004
【図４】
0005833875.tif 000005
【図５】
0005833875.tif 000006
【図６】
0005833875.tif 000007
【図７】
0005833875.tif 000008
【図８】
0005833875.tif 000009
【図９】
0005833875.tif 000010
【図１０】
0005833875.tif 000011
【図１１】
0005833875.tif 000012
【図１２】
0005833875.tif 000013
【図１３】
0005833875.tif 000014
【図１４】
0005833875.tif 000015
【図１５】
0005833875.tif 000016
【図１６】
0005833875.tif 000017
【図１７】
0005833875.tif 000018
【図１８】
0005833875.tif 000019
【図１９】
0005833875.tif 000020
【図２０】
0005833875.tif 000021